(57)【特許請求の範囲】
【請求項１】
一方の枠材の内枠支承部の水平状支承面に窓孔を設けると共に、隣り合う他方の枠材の内枠支承部の外壁に通行口を開設した外枠と、上記一方の枠材の内枠支承部の挿入用枠部に嵌入する基板部の面内に上記窓孔と通行口とに連通する連通孔を設けると共に、他方の枠材の内枠支承部の挿入用枠部に嵌入する突出基板部を設けたコーナージョイントと、下部が連通孔に嵌入し上部が窓孔から上方へ立ち上がるスライダー本体に傾斜溝を設けたスライダーと、連通孔に配備され先端が通行口に対応し基端の傾斜板が傾斜溝に嵌合する突き刺し体とからなることを特徴とする点検口の外枠固定装置。
【請求項２】
前記スライダーの一端側にガイド円柱部を設け、前記連通孔の一端側に丸孔を設け、ガイド円柱部が丸孔に嵌合することで、スライダーの上部が窓孔から上方へ立ち上がる状態を保持するようにしたことを特徴とする請求項１記載の点検口の外枠固定装置。
【請求項３】
前記コーナージョイントの基板部にコーナー柱部を立設し、コーナー柱部の両側にそれぞれ対応する枠材の溝部に嵌着する継手片を配備したことを特徴とする請求項１記載の点検口の外枠固定装置。
【請求項４】
上記スライダーの傾斜溝の上方に垂直面を設け、上記突き刺し体の傾斜板の下部に垂直板部を突設し、スライダーが最も下降した際に垂直板部が垂直面に接面して突き刺し体の後退移動を阻止するようにしたことを特徴とする請求項１乃至３のいずれか１項に記載の点検口の外枠固定装置。
【発明の詳細な説明】
【技術分野】
【０００１】
この発明は、例えば床下点検口や天井点検口などの点検口の外枠固定装置に関する。
【背景技術】
【０００２】
図９は、従来の床下点検口の外枠７を床開口６４の縁部に固定する状態を示す断面図である。この床下点検口の外枠７は、立上り壁７１と、立上り壁７１の上端を外向きに折り曲げた水平状ひさし７２と、立上り壁７１の下端に連続し、内向きに突出するハコ状受け部７３とからなる。
【０００３】
この外枠７を固定する床面（根太６１と床補強材６２と床材６３）６の適所に点検用の開口が開設され、この床開口６４に上記外枠７を嵌め入れる。水平状ひさし７２が床面６に載置された状態で、立上り壁７１が床開口６４周縁に隙間を介してほぼ接面状に対応する。
【０００４】
ここで、立上り壁７１面内のビス孔７１ａ側から床材６３に対しビス７１ｂを打ち込み、床面６に外枠７を額縁状に固定する。一方、床開口に際し切り出した床材６３を方形状の蓋板（内蓋）６５とし、蓋板６５の外周に断面略「コ字状」の内枠６６を固着して、内枠６６の底面をハコ状受け部７３の上面で支承する。
【特許文献１】特開２００３−１２００１４号公報
【発明の開示】
【発明が解決しようとする課題】
【０００５】
従来の床下点検口の外枠では、立上り壁から床端面に対しビス打ちする。このビスを締付けすぎると、床端面と外枠との間の適正な隙間がなくなり、外枠が変形する不利がある。
【０００６】
逆に、ビスの締付け強度が十分でないと、ハコ状受け部の下方に支えがないことと相俟って蓋板にかかる負荷は水平状ひさしの設置面でのみ支承する結果となる。このため、図９の矢印で示すように、水平状ひさし７２の設置面が支点となって、外枠７は矢印Ｃ方向へ変形する。
【０００７】
仮に、外枠７のハコ状受け部７３を支える受け桟（図９の仮想線で示す）６７を施工した場合は、外枠７の矢印Ｃ方向への変形は解消し得る反面、場所によってはこの施工が困難である許かりでなく、床面開口寸法及び受け桟の高さ寸法を精確にしなければならず、煩瑣で熟練を要する等の不利があった。
【０００８】
この発明は、以上のような課題を解消させ、外枠に対し内枠（内蓋）を嵌め入れるだけの通常の簡単な操作のみによって、強固に外枠を固定し得、しかも外枠と床材との接合隙間が保持され、場所を選ばず且つ全く熟練を必要とせず、正確迅速に取付け可能な点検口の外枠固定装置を提供することを目的とする。
【課題を解決するための手段】
【０００９】
この目的を達成させるために、この発明の点検口の外枠固定装置では、次のような構成としている。
点検口の外枠固定装置は、一方の枠材の内枠支承部の水平状支承面に窓孔を設けると共に、隣り合う他方の枠材の内枠支承部の外壁に通行口を開設した外枠と、上記一方の枠材の内枠支承部の挿入用枠部に嵌入する基板の面内に上記窓孔と通行口とに連通する連通孔を設けると共に、他方の枠材の内枠支承部の挿入用枠部に嵌入する突出基板部を設けたコーナージョイントと、下部が連通孔に嵌入し上部が窓孔から上方へ立ち上がるスライダー本体に傾斜溝を設けたスライダーと、連通孔に配備され先端が通行口に対応し基端の傾斜板が傾斜溝に嵌合する突き刺し体とから成ることを特徴としている。
【発明の効果】
【００１０】
このような構成を有する点検口の外枠固定装置では、外枠を構成する枠材の内枠支承部内にコーナージョイントの基板が嵌合し、この基板の連通孔に内装配備された突き刺し体が連通孔から起立するスライダーとすべり対偶を構成することとしたから、外枠に対し上方から内枠（内蓋）を嵌め入れるとスライダーが下降し、突き刺し体の先端が床開口縁面に打ち込まれ、外枠が床材に強固に固定される。
【００１１】
外枠の固定に際しては、単に内枠（内蓋）を外枠に嵌め入れ、押し込むだけであるから、外枠固定作業がワンタッチで熟練を必要とせず、簡単かつ正確に実行できる。しかも、突き刺し体は立上り壁の下方に位置する内枠支承部から床材に対し打ち込むため、外枠（立上り壁）と床材端面との接合隙間が適正に保持し得、従来の受け桟が不要となる。
【００１２】
更に、昇降動するスライダーと水平動する突き刺し体とがすべり対偶を構成する。従って、下向きスライダーに加わる力は突き刺し体に加わる強い抵抗力に打ち勝ち得、外枠は一層強力に固定できる。
【００１３】
また、隣合う枠材を直角状に連結するコーナージョイントを、外枠の内枠支承部内へ嵌挿配備することとしたら、９０度開いた継手両片のみの連結より外枠コーナー部が一層強固となり、突き刺し体の強力な固定を実現できる等、発明目的を達成した優れた効果を有する。
【発明を実施するための最良の形態】
【００１４】
以下、図面に基づき本発明に係る点検口の外枠固定装置の具体的な実施の形態を説明する。
図１は、床下点検口の外枠固定装置を示す部分斜視図である。
床下点検口の外枠固定装置は、外枠Ａとコーナージョイント２と平板状のスライダー３と突き刺し体４とで構成される。
【００１５】
外枠Ａは、４本の枠材１をコーナージョイント２で方形の枠体に形成される。枠材１は、両端部が４５度角に切断され、立上り壁１１と立上り壁１１の上端を外向きに折り曲げたひさし部１３と、立上り壁１１の下端に連続するハコ状の内枠支承部１４とからなる。
【００１６】
図１及び図２で示すように、立上り壁１１の外面には、ひさし部１３の裏面と、ハコ状の内枠支承部１４の外側の外壁１４ｃとの間に、後述するコーナージョイント２の継手片２４が嵌入する溝部１２が形成してある。
【００１７】
また、立上り壁１１の下方の内枠支承部１４は、両端部及び底面の一部を開口したハコ状で、内方向へ突出する上面を内枠５の底面を支承する水平状受け面１４ａとし、内部が空間の下開口の挿入用枠部１４ｂに後述するコーナージョイント２の基板部２１、２２を嵌着する。
【００１８】
外枠１を構成する一方の枠材１Ａは、図１及び図２で示すように、上記ハコ状の内枠支承部１４の水平状受け面１４ａの面内であってコーナーよりの位置に後述するスライダー３を嵌挿する矩形状の窓孔１５が開設してある。
【００１９】
更に、他方の枠材１Ｂは図１及び図４で示すように、ハコ状の内枠支承部１４の挿入用枠部１４ｂの外側の外壁（溝部１２の下部）１４ｃに後述する突き刺し体４の尖鋭部４２が出没する通行口１６を開設している。
【００２０】
コーナージョイント２は、図２で示すように矩形で平板状の基板部２１と、この基板部２１の他側辺（内側辺）２１Ｂのコーナーから連続して４５度角で内向きに突出する突出基板部２２と、基板部２１の一側辺２１Ａのコーナーに立設するコーナー柱部２３とからなる。
【００２１】
コーナー柱部２３の上端には、外向きのヒサシ部２３ａを外方へ突出し、柱部２３の左右両側には直角状に開いた継手片２４を突設している。継手の一片２４ａは、基板部２１の一側辺２１Ａ上に隙間を開いて突設され、継手の他片２４ｂは基板部２１の端辺２１Ｃ上に隙間を開いて突設している。
【００２２】
この基板部２１の面内には、上記矩形状の窓孔１５に連通し、且つ通行口１６に連通する連通孔２１ａと、連通孔２１ａの基端側に丸孔２１ｂが開設され、先端側に貫通スリット２１ｅ及びスリット開口２１ｆが開設してある。
【００２３】
更に、連通孔２１ａには、図５で示すように孔長さ中央に支え底部２１ｃを設け、先端部側には押え天板部２１ｄを設けて後述する突き刺し体４を安定保持している。
【００２４】
前記スライダー３は、図３及び図４で示すように、平板状のスライダー本体３１と、本体３１上端の天板部３２と、本体３１の一端側のガイド円柱部３３と、本体３１の他端側上部の垂直面３４ａに連続し、下方へ内向きに傾斜する傾斜面３４ｂおよび傾斜面３４ｂと隙間を開いた溝壁３４ｃとで構成する傾斜溝３４とから成る。
【００２５】
平板状のスライダー３は、ガイド円柱部３３の下部が丸孔２１ｂに比較的緊密に嵌合し、スライダー本体３１の下部が連通孔２１ａに嵌入し、上部（天板部３２）が水平状受け面１４ａより上方へ立ち上がった状態を保持している。
【００２６】
上記突き刺し体４は、図２及び図３で示すように、へら状本体４１と、へら状本体４１先端の尖鋭部４２と、へら状本体４１基端に設けた傾斜板４３と、傾斜板４３の下端に突設した垂直板部４４と、へら状本体４１の下辺側に連続して直角状に突設し、上記支え底部２１ｃに接面する滑り底部４５とから成る。
【００２７】
この突き刺し体４は、連通孔２１ａ内において、基端の傾斜板４３が常態において上記平板状のスライダー３の傾斜溝３４内の下方に係合すると共に、尖鋭部４２がスリット開口２１ｆを介して通行口１６の手前に対応位置している。
【００２８】
このような構成を有する点検口の外枠固定装置では、図６で示すように、常態において、平板状のスライダー３は一方の枠材１Ａの窓孔１５及び連通孔２１ａに対し下部のみが嵌入し、上部（天板部３２側）は水平状受け面１４ａより起立している。
【００２９】
この状態において、突き刺し体４の尖鋭部４２は連通孔２１ａ内で、枠材１Ｂの通行口１６に対応位置すると共に、傾斜板４３は傾斜溝３４の最も下方に位置している。
【００３０】
いま、通常行われるとおり、内枠（内蓋）５を外枠１内に嵌め入れると、内枠５の底面５１が立ち上がるスライダー３の天板３２上面に接面する。
この状態で、内枠 5を更に押し下げると、図７で示すようにスライダー３が押し下げられ、同時に突き刺し体４が対向する床面（床下地材６ｂ）６側へ水平移動する。突き刺し体４が移動することで、突き刺し体４先端の尖鋭部４２が隣り合う他方の枠材１Ｂの通行口１６から突出して床下地材６ｂに直交状に突き刺さる。
【００３１】
図８で示すように、内枠５をさらに外枠Ａ内に押し込み、内枠５の底面５１が枠材１の内枠支承部１４の水平状受け面１４ａに接面するとき、スライダー３の天板３２が水平状受け面１４ａに面一に揃う。
【００３２】
このとき、突き刺し体３は床下地材６ｂ方向へ最大に突出し、尖鋭部４２が床下地材６ｂに対し深く侵入する。突き刺し体４の傾斜板４３とスライダー３の傾斜溝３４はすべり対偶を構成し、下向きのスライダー３に加わる力は突き刺し体４に加わる大きな抵抗力に打ち勝ち、外枠Ａが床面６に強固に固定される。
【００３３】
更に、図８で示すように、この完全な突き刺し状態において、突き刺し体４の傾斜板４３は傾斜溝３４の最も上方へ移動し、垂直板部４４がスライダー３の垂直面３４ａに接面し、突き刺し体４の後退移動を阻止する。
【図面の簡単な説明】
【００３４】
【図１】実施の形態の点検口の外枠固定装置を示す斜視図である。
【図２】外枠固定装置を示す分解斜視図である。
【図３】平板状スライダーと突き刺し体の係合関係を示す斜視図である。
【図４】一方の枠材に隣り合う他方の枠材を接合する状態を示す分離斜視図である。
【図５】コーナージョイントの裏面を示す斜視図である。
【図６】外枠に対し内枠を嵌め入れた状態のスライダーと突き刺し体の関係を示す説明図である。
【図７】外枠に対し内枠を押し込んだ状態のスライダーと突き刺し体の関係を示す説明図である。
【図８】外枠に対し内枠を完全に嵌合した状態のスライダーと突き刺し体の関係を示す説明図である。
【図９】従来の点検口の外枠固定装置を示す断面図である。
【符号の説明】
【００３５】
Ａ      外枠    
１      枠材
１Ａ    一方の枠材
１Ｂ    隣り合う他方の枠材    
２      コーナージョイント
３      スライダー
４      突き刺し体
５      内枠（内蓋）
１１    立上り壁  
１２    溝部
１３    ひさし部
１４    内枠支承部  
１５    一方の枠材の窓孔
１６    他方の枠材の通行口    
２１    基板部
２２    突出基板部  
２３    コーナー柱部
２４    継手片
３１    スライダー本体
３２    天板
３３    ガイド円柱部
３４    傾斜溝
４１    へら状本体
４２    尖鋭部
４３    傾斜板
４４    垂直板部
５１    内枠底面
１４ａ  水平状受け面
１４ｂ  挿入用枠部
２１ａ  連通孔
２１ｂ  丸孔
２１ｆ  スリット開口
３４ａ  垂直面
３４ｂ  傾斜面
【図１】
0005967975.tif 000002
【図２】
0005967975.tif 000003
【図３】
0005967975.tif 000004
【図４】
0005967975.tif 000005
【図５】
0005967975.tif 000006
【図６】
0005967975.tif 000007
【図７】
0005967975.tif 000008
【図８】
0005967975.tif 000009
【図９】
0005967975.tif 000010